(57)【特許請求の範囲】
【請求項１】
フェース面に、複数本のスコアラインが設けられるとともに、前記スコララインを除いたフェース面の表面を、ＩＳＯ4287/1-1984に準拠しかつ以下の条件で触針式表面粗さ測定器を用いてなぞることにより断面曲線を得、その平均線を補正基準線として傾斜補正した断面曲線（Ｚ＝ｆ（ｘ））を得るとともに、該補正された断面曲線を微分して微分曲線を得、該微分曲線から下記式（３）及び（４）で計算される前記フェース面の平均傾斜角θａが０．１５〜０．２５（deg ）であり、かつ、自乗平均傾斜角θｑが０．２０〜０．３０（deg ）である凹凸打撃面を含むとともに、
該凹凸打撃面は、１．５mm以上かつ２．０mm以下からなる金属又はセラミックスの粒子を５０％以上含むブラスト粒子を噴射するショットブラスト処理を用いて形成されたことを特徴とするアイアンゴルフクラブ。
触針式表面粗さ測定器の触針先端の半径：５μｍ
触針の駆動速度：０．３mm／ｓ
測定長さ１．５mm
基準長さＬ：１．５μｍ
測定個所：フェース面の実質的な打球部分でランダムな２ケ所とし、前記θａ及びθｑはこの２カ所の算術平均値とする。
θａ＝ｔａｎ-1Δａ  …（３）
θｑ＝ｔａｎ-1Δｑ  …（４）
ただし、上記Δａ、Δｑは、次の通りである。
【数１】
0004612130.tif 000005
【請求項２】
請求項１に記載されたアイアンゴルフクラブを、ロフト角が最小である最も低番手（ｉ＝１）のゴルフクラブから、ロフト角が最大である最も高番手（ｉ＝ｑ）のゴルフクラブまで複数本をセットとしたアイアンゴルフクラブセット。
【発明の詳細な説明】
【０００１】
【発明の属する技術分野】
本発明は、クラブヘッドのフェース面の表面状態をコントロールすることにより打球のスピン量を最適化しうるアイアンゴルフクラブ及びアイアンゴルフクラブセットに関する。
【０００２】
【従来の技術】
一般ゴルファは、ロフト角が小さいロングアイアンでは、飛距離性能を重視する傾向がある。ロングアイアンにおいて、ボールの飛距離を増すためには、クラブとボールとの間の反発効率を高める他、ボールの打ち出し角度がある程度大きい場合には、ボールの初期スピン量（初期バックスピン量）を低減することが効果的である。他方、ロフト角が大きいウエッジ等のショートアイアンでは、飛距離よりもボールの落下後の転がり、いわゆる「ラン」を少なくすることが望まれる。このようなランを少なくするためには、打ち出しされたボールの初期スピン量を多くすることが効果的である。
【０００３】
このような打球のスピン量は、インパクト時にボールが接触するゴルフクラブのフェース面の表面状態に大きく左右される。従来では、アイアンゴルフクラブの番手に係わらず一律にフェース面の摩擦係数が大きいほど、打球のバックスピン量は増大するものと考えられており、このような理論を前提として、例えば特開昭６１−２７２０６７号公報、特開平２−２２８９８０号公報、特開平２−２２８９８１号公報、特開平９−１９２２７４号公報などが提案されている。
【０００４】
すなわち、これら従来の提案では、打球の初期スピン量を減らしたい場合には、フェース面の摩擦係数を小さくし、逆に初期スピン量を増やしたい場合には、フェース面の摩擦係数を大きくすることで、スピン性能をコントロールしようとするものである。
【０００５】
【発明が解決しようとする課題】
しかしながら、本発明者らの種々の実験の結果、例えばロフト角が４０゜以上のアイアンゴルフクラブについては、フェース面の摩擦係数を大きくすると、確かに打球の初期スピン量は増大していくが、ロフト角が４０゜未満のアイアンゴルフクラブについては、フェース面の摩擦係数を小さくしていくと、従来の予想に反してボールのバックスピン量が僅かながら増加する傾向があることが判明した。
【０００６】
図６にはこの実験結果のうちクラブヘッドのフェース面の表面状態と打球のバックスピン量との関係を示している。また図７〜１０には、フェース面の表面状態と打球の打ち出し角との関係を示している。
【０００７】
この実験では、アイアンゴルフクラブセット中から、３番アイアン（ロフト角２１°）、５番アイアン（ロフト角２９°）、７番アイアン（ロフト角３７°）、サンドウエッジ（ロフト角５６°）の４本のクラブを使用し、同じボール（２ピースボール）を同じ条件でスイングロボットを用いて試打し、そのときの打球の初期スピン量（バックスピン量）及び打ち出し角の測定を行った。また各アイアンのフェース面は、いずれもチタンからなるが、溝がなくかつ平滑な表面（ｓｍｏｏｔｈ）を有するもの（最も摩擦係数が小さいもの）、溝がなくかつ荒い表面（ｒｏｕｇｈ）を有するもの、溝がありかつ荒い表面（ｒｏｕｇｈ）を有するもの（最も摩擦係数が大きいもの）の３段階の表面状態で比較を行った。
【０００８】
これらの実験の結果、ロフト角が４０゜未満である３番、５番および７番アイアンでは、従来の予想とは逆にフェース面の摩擦係数が大きいほど、打球のバックスピン量が少なく、また打ち出し角度が大きくなる傾向が確認された。
【０００９】
このような現象を理論的に完全に解明することは、インパクト時のボールの複雑な変形挙動の詳細な解析がさらに必要となるが、一つの原因としてクラブヘッドのフェース面とボールとのインパクト時に発生するボールのコア部分の内部スピンが影響しているものと一応推察できる。
【００１０】
図１１（ａ）〜（ｄ）には、ボールのインパクトの状態を時系列的に示している。また図１２はボールＢのコア部分Ｂ１（位置Ｐ１）とカバーＢ２（位置Ｐ２）との間のせん断力と、インパクトからの経過時間との関係を示すグラフである。
【００１１】
図１１（ａ）に示すように、インパクトされたボールＢは、変形してフェース面３に比較的広範囲で密着する。このときボールＢは、フェース面３から、該フェース面３に沿った方向の摩擦力Ｍと、フェース面３からの垂直な力とを受ける。従来ではこの摩擦力Ｍのみに着目し、摩擦力Ｍが大きいほどボールＢのバックスピン量が増大すると考えられていた。
【００１２】
発明者らは、ボールＢのインパクト中の過程をさらに詳細に調べたところボールＢのカバーＢ２は、該カバーＢ２を摩擦力方向に引っ張るせん断力により、図に示されるボール内部の位置Ｐ１、Ｐ２間を円周方向で相対的に位置ずれさせることを突き止めた（図１１（ｂ））。
【００１３】
このようなコア部分Ｂ１とカバーＢ２の位置ずれは、インパクトされたボールＢの変形が元の状態に復元を開始するにつれて元に戻ろうとする。この復元力により、コア部分Ｂ１とカバーＢ２との間には、前記とは逆方向のせん断力が作用して位置Ｐ１、Ｐ２は、前記位置ずれが無くなった中立位置（図１１（ｃ））をさらに超えた位置でフェース面３から打ち出しされる。
【００１４】
この打ち出しの直前（図１１（ｄ））では、コア部分Ｂ１には、バックスピンとは逆方向となる順方向の内部的なスピンが残存しており、この内部的なスピンが多いほどボールのバックスピン量が低下することが判明したのである。
【００１５】
また、このような内部スピンの影響は、とりわけロフト角が例えば４０゜未満のアイアンゴルフクラブにおいて顕著となることが分かった。従って、このようなアイアンゴルフクラブでは、フェース面の摩擦係数を小さくすると前記コア部分Ｂ１の順方向に回転する内部スピンが減少するためにボールのバックスピン量はむしろ増加する傾向がある。つまり、従来の知見に基づき、例えばロングアイアンにおいて打球のバックスピンを減じるべくフェース面の摩擦係数を小さくすると、現実にはバックスピンが増すため、飛距離性能の向上は期待できない。
【００１６】
従って、いわゆるロングアイアンにおいて飛距離性能を高めるためには、従来とは逆にフェース面の摩擦係数を大きくすることによって打球の初期スピン量を抑えることが望ましく、またいわゆるショートアイアンにおいてランを減じるためには、フェース面の摩擦係数を大きくして、打球の初期スピン量を増加させるのが良いことが分かった。
【００１７】
また、フェース面の摩擦係数を大きくするためには、フェース面を粗面化すること（表面の凹凸を多くすること）が考えられる。物体の表面粗さを特定するものとして、例えばＪＩＳ  Ｂ０６０１等で規定されている「十点平均粗さ」、「最大高さ」などが知られている。ところが、このようなパラメータは、単に物体表面の凹凸をなす山、谷の高さ（垂直方向の距離）を特定するものであるため、凹凸をなす山、谷の具体的な傾き、すなわち傾斜の緩急については全く知ることができない。そして発明者らは、種々実験を進めた結果、フェース面の微細な凹凸を形成する山、谷の平均的な傾斜角度を示す平均傾斜角θａ、自乗平均傾斜角θｑを一定範囲に限定することにより、打球の最適な初期スピン量が得られることを知見した。
【００１８】
以上のように、本発明は、フェース面の微細な表面の凹凸を規制することとを基本として、打球のスピン量を最適化しうるアイアンゴルフクラブを提供することを目的としている。また本発明の他の目的は、上述のような初期スピン量とフェース面の摩擦係数についての新規な知見を前提として、番手に応じた最適な性能を発揮しうるアイアンゴルフクラブセットを提供することである。
【００１９】
【課題を解決するための手段】
本発明のアイアンゴルフクラブは、フェース面に、複数本のスコアラインが設けられるとともに、前記スコララインを除いたフェース面の表面の（後述のような方法で測定して計算される）平均傾斜角θａが０．１５〜０．２５（deg ）であり、かつ、自乗平均傾斜角θｑが０．２０〜０．３０（deg ）である凹凸打撃面を含むとともに、該凹凸打撃面は、１．５mm以上かつ２．０mm以下からなる金属又はセラミックスの粒子を５０％以上含むブラスト粒子を噴射するショットブラスト処理を用いて形成されたことを特徴としている。
【００２０】
ここで、「平均傾斜角θａ」、「自乗平均傾斜角θｑ」は、概ねフェース面（対象物の対象面）に直角な平面で切断したときに切り口に現れる輪郭の山、谷の傾斜角と相関があるもので、本例では「ＩＳＯ  4287/1-1984 」に準じて測定される。本発明による「平均傾斜角θａ」、「自乗平均傾斜角θｑ」は、具体的に次のようにして行うものとする。
【００２１】
先ず、図３に示すように、クラブヘッドＨのフェース面３に直角な平面で切断したときにその切り口に現れる輪郭を求める。以下、このような輪郭を「断面曲線」とする。このような断面曲線は、図３に示すように、前記フェース面３の表面を触針式表面粗さ測定器Ａの触針Ｖでなぞり、触針Ｖの上下動変位を検出部Ｓにて検出しこれを記録することによって得るものとする。このとき、フェース面３又は触針Ｖのいずれを移動させても良いが、本例では触針Ｖを基準ガイド面Ｇに沿って移動させる。
【００２２】
このような断面曲線は、図４（Ａ）に示すように表され、図において横方向が触針Ｖのなぞる方向に、また同縦方向が触針Ｖの上下動変位にそれぞれ対応している。なお触針Ｖの先端の曲率が大きい（曲率半径が小さい）ほど、正確にフェース面３の凹凸をなぞることができるが、本発明では触針Ｖの先端半径を５μｍとし、その半径でなぞり得ない断面曲線の短波長成分は除外している。
【００２３】
次に、図４（Ａ）の如く得られた断面曲線から、最小自乗法を用いて該断面曲線の平均線を求め、該断面曲線を、前記平均線を補正基準線として傾斜補正した補正された断面曲線を図４（Ｂ）に示すようにＸ−Ｚ座標上に求める。ここで「平均線」とは、断面曲線までの偏差の自乗和が最小になるように設定された直線である。また、「平均線を補正基準線として補正する」とは、断面曲線から平均線を差し引いて断面曲線自体の傾斜を補正（換言すれば平均線がＸ軸上に位置するように断面曲線を移動させる。）することを言う。
【００２４】
次に、補正された断面曲線（Ｚ＝ｆ（ｘ））を微分した微分曲線の中心線からの偏差の絶対値の平均値である平均傾斜角Δａ（正接値）を式（１）により、また補正された断面曲線を微分した曲線の自乗平均傾斜角Δｑ（正接値）を式（２）によりそれぞれ求める。なお前記「中心線」とは、前記平均線と平行な直線であってかつこの直線と前記微分された曲線とで囲まれる面積が該直線の両側で等しくなる直線を言う。
【数１】
0004612130.tif 000002
【００２５】
そして、式（３）により平均傾斜角θａ（deg ）を、また式（４）により自乗平均傾斜角θｑ（deg ）を求める。
θａ＝ｔａｎ-1Δａ  …（３）
θｑ＝ｔａｎ-1Δｑ  …（４）
【００２６】
本明細書では、このような「平均傾斜」、「自乗平均傾斜」は、（株）東京精密社製の表面粗さ形状測定機サーフコム５７０Ａを使用し、触針先端の半径を５μｍ、駆動速度を０．３mm／ｓで測定長さ１．５mmをトレースし、該装置設定値として「補正方法」を「最小自乗法により求めた直線を補正基準線とする直線補正」とし、また「抽出曲線」を「断面曲線」と設定して測定を行った。また式（１）、（２）における基準長さＬは、本例では１．５μｍとし、測定個所は、フェース面の実質的な打球部分であるバーチカルラインＬ１、Ｌ２間でかつスコアラインを除いてランダムに２ケ所測定し、その算術平均値を用いている。
【００２７】
このような平均傾斜角θａ、自乗平均傾斜角θｑは、単に表面凹凸の最大高さＲmax や十点平均粗さなどでは表すことができない凹凸の山、谷の傾斜を特定することができる。例えば図５（Ａ）、（Ｂ）に示すごとく、表面凹凸の最大高さＲmax が同一である２つの表面であっても、本発明のように平均傾斜角θａ、自乗平均傾斜角θｑを規制することにより、断面曲線が全く異なるフェース面を形成しうる。
【００２８】
また、表１には上述のような測定方法にて出願人会社によって市販されているアイアンゴルフクラブのフェース面の平均傾斜角θａ、自乗平均傾斜角θｑを調べた結果を示す。
【００２９】
【表１】
0004612130.tif 000003
【００３０】
このように本発明では、フェース面に、平均傾斜θａ、自乗平均傾斜θｑを、従来品に比して大きな値の範囲に規制された凹凸打撃面を具えることによって、該凹凸打撃面を鋭利な山、谷を含んだ表面粗さに形成することができる。これによってフェース面は、ボールとの高摩擦状態を作り出すことが可能になる。このようなフェース面は、例えばロフト角が４０゜以上であるアイアンゴルフクラブにおいてはランを減じるのに役立ち、またロフト角が４０゜未満のアイアンゴルフクラブにあっては、上述の新規な知見に基づき初期スピン量を減じ飛距離を増大するのに役立つ。
【００３１】
従って、ロフト角が最小である最も低番手（ｉ＝１）のゴルフクラブから、ロフト角が最大である最も高番手（ｉ＝ｑ）のゴルフクラブまで複数本のゴルフクラブをセットとしたアイアンゴルフクラブセットにおいて、前記全てのゴルフクラブのフェース面に、平均傾斜角θａが０．１５〜０．２５（deg ）でありかつ自乗平均傾斜角θｑが０．２０〜０．３０（deg ）である凹凸打撃面を含ませることによって、全番手を通じて打球の最適な初期スピン量をうるアイアンゴルフクラブセットを提供しうる。
【００３３】
【発明の実施の形態】
以下、本発明の実施の一形態を複数本のアイアンゴルフクラブをセットしたアイアンゴルフクラブセットを例に取り図面に基づき説明する。図１に示すように、本実施形態のアイアンゴルフクラブセット１は、ロフト角αが最小であり最も低番手（ｉ＝１）のゴルフクラブ２ａから、ロフト角αが最大である最も高番手（ｉ＝ｑ＝６）のゴルフクラブ２ｅまでをセットとした総本数が５本のものを例示している。ここで前記付号「ｉ」は、各ゴルフクラブ２を特定するために最も低番手のゴルフクラブ２ａから順に付される自然数の番号であって、実際のクラブの番手数（例えば５番アイアンの「５」など）を表示するものとは異なる。また図１には、各ゴルフクラブ２のロフト角αを表示している。
【００３４】
このようなアイアンゴルフクラブセット１は、具体的には、例えば番手数が奇数又は偶数のみからなるハーフセットや、３番アイアン〜９番アイアンまでの７本セット（ｉ＝１〜７）、 さらには、これらにドライビングアイアン、２番アイアン、ピッチングウエッジ、アプローチウエッジ、サンドウエッジ、ロブウエッジなどの１ないし複数本を加えることができる。そして、セットの総本数が３本以上、好ましくは６本以上、より好ましくは７本以上、さらに好ましくは７〜１０本で構成されうる。
【００３５】
またアイアンゴルフクラブセット１においては、例えば最もロフト角が小さいもので、１０〜２５度、最もロフト角が大きいもので５６〜６０度程度とするのが好ましい。また各クラブヘッドＨ（以下、単にヘッドＨということがある。）は、ステンレス、チタン、チタン合金、軟鉄あるいはこれらの２種以上を組み合わせた複合材料など種々の材料で構成できる。なおシャフトＳは慣例に従い例えばロフト角αの増大に伴って徐々に短くしうる。
【００３６】
前記ヘッドＨは、図２に示すように、ヘッド本体４と、シャフトＳが装着されるホーゼル５とを含む。前記ヘッド本体４は、本例では、ボールを打撃する側の面であるフェース面３にバーチカルラインＬ１、Ｌ２により、実質的にゴルフボールを打球する打撃領域Ｔが区分されているものが例示される。この打撃領域Ｔには、複数本の溝であるスコアライン６やパンチマーク（図示せず）などの凹設部を慣例に従って適宜形成することができる。
【００３７】
そして本実施形態では、前記全てのゴルフクラブ２ａないし２ｅは、前記フェース面３の打撃領域Ｔに、平均傾斜角θａが０．１５〜０．２５（deg ）でありかつ自乗平均傾斜角θｑが０．２０〜０．３０（deg ）である凹凸打撃面３ａを含むものを例示している。
【００３８】
このようなゴルフクラブセット１では、例えばロフト角が４０゜未満のアイアンゴルフクラブ２ａ、２ｂ、２ｃでは、前記した知見に基づき打球の初期スピン量を相対的に減じることが可能になり、かつ打ち出し角が十分に大きい場合には打球の飛距離を大幅に向上しうる。また、ロフト角が４０゜以上のアイアンゴルフクラブ２ｄ、２ｅにあっては、打球の初期スピン量が増すことにより、ランを減じ打球のコントロール性を向上しうる。
【００３９】
ここで、前記凹凸打撃面３ａの平均傾斜角θａが０．１５（deg ）未満又は自乗平均傾斜角θｑが０．２０（deg ）未満であると、表面の凹凸の山ないし谷の傾斜が緩やかとなり、ボールとのインパクト時において高摩擦接触状態を作り出すのが困難になり、逆に前記平均傾斜角θａが０．２５（deg ）よりも大又は自乗平均傾斜角θｑが０．３０（deg ）よりも大になると、ボールを打撃した際にボールを傷付けやすくなるという不具合がある。特に好ましくは、前記平均傾斜角θａは、０．１７〜０．２３（deg ）、自乗平均傾斜角θｑは、０．２２〜０．２８（deg ）とするのが望ましい。
【００４０】
なお、このような凹凸打撃面３ａは、好ましくは十点平均粗さを１０〜３０μｍ、さらに好ましくは２０〜３０μｍとすることによって、凹凸の傾斜に加え、その深さ（振幅）なども規制することが可能となる点で特に好ましいものとなる。なお十点平均粗さについても、上述した触針式の表面粗さ測定器を用いて測定する。
【００４１】
また、このような凹凸打撃面３ａは、例えば直径が１．０mmよりも大かつ２．０mm以下からなる金属又はセラミックスの粒子を含むブラスト粒子をフェース面３に向けて噴射するショットブラスト処理を用いて形成することが可能である。
【００４２】
前記ショットブラスト処理に用いられる金属球としては、例えばステンレス、鉄、ニッケル、コバルト、又はこれらの元素を少なくとも１以上含む合金から形成することができる。またセラミックス粒子には、好ましくは比較的比重の大きなもの、例えば窒化ケイ素セラミックス、アルミナセラミックス、ジルコニアセラミックスなど粒子の単位体積あたりの重量であるかさ密度が３．０以上のものが特に好ましい。またこのようなブラスト粒子全てが前記直径の範囲内に含まれなくても良いが、少なくともショットブラスト処理に使用されるブラスト粒子の５０％以上が前記直径を有しかつ粒径が実質的に揃っていることが望ましい。
【００４３】
従来のアイアンゴルフクラブのフェース面のショットブラスト処理には、通常、直径が２５０μｍ程度の小径のセラミックス粒子、大きいものでも１．０mm以下の粒子を用いられることが多い。このような小径のブラスト粒子では、一般的に表１に示した通り、平均傾斜角θａ、自乗平均傾斜角θｑはいずれも本発明の範囲よりも小さくなってしまい、ボールとの最適な高摩擦接触状態が得られ難い。
【００４４】
またブラスト粒子をフェース面３に噴射するには、例えば高圧空気を用いてブラスト粒子をノズル先端から噴射しうるノズルタイプ又は回転する翼車等の遠心力を利用してブラスト粒子を半径方向に噴射する翼車タイプ、さらには液体を用いるものなど、種々のブラスト装置を適宜用いることができる。なおノズルタイプの場合、例えば１．８〜５．３kgｆ／cm2 、さらに好ましくは２．５〜４．５kgｆ／cm2 程度の高圧空気を用いて噴射時間６０〜１２０秒程度で処理を行うのが望ましい。
【００４５】
このようなショットブラスト処理における諸条件は、ヘッドＨの材質等に応じてかつ前記平均傾斜角θａ、自乗平均傾斜角θｑの範囲を満たすように適宜設定される。また、このようなショットブラスト処理は、フェース面３にメッキが施される場合、前記平均傾斜角θａ、自乗平均傾斜角θｑを満たすことを条件として、該メッキないし塗装の前後を問わず行うことができるが、メッキ後に行うのが好ましい。
【００４６】
以上、本発明の実施形態について詳述したが、例えばアイアンゴルフクラブセット内において、各ゴルフクラブの凹凸打撃面３ａの平均傾斜角θａや自乗平均傾斜角θｑは同一としても良く、また前記範囲内で異ならせることでも良い。
【００４７】
【実施例】
総本数５本のアイアンゴルフクラブセットを表２の仕様にて試作し（実施例、比較例）、スイングロボットにより試打テストを行い、打ち出しされたボールのバックスピン量、打ち出し角度、キャリー、ラン、トータル飛距離をそれぞれ測定した。なおスイングロボットは、ロフト角２０度のアイアンゴルフクラブでヘッドスピード３６．５ｍ／ｓになるよう設定した。
【００４８】
また実施例のゴルフクラブは、ステンレス（ＳＵＳ６３０）の鋳造品であり、その表面に直径１．５mmの金属球を主体として、ノズルタイプのブラスト装置を用い、噴射圧力５kgｆ／cm2 、噴射時間６０秒にて打撃領域のほぼ全域にショットブラスト処理を行った。また比較例のゴルフクラブは、直径２５０μｍのアルミナ金属球を用いて、噴射圧力３kgｆ／cm2 、噴射時間６０秒にて打撃領域のほぼ全域にショットブラスト処理を行った。
クラブの仕様並びにテストの結果を表２に示す。
【００４９】
【表２】
0004612130.tif 000004
【００５０】
テストの結果、実施例のアイアンゴルフクラブセットでは、比較例のアイアンゴルフクラブセットに比べて、ロフト角が４０゜未満のゴルフクラブで打ち出しされたボールのバックスピン量が少なくかつ打ち出し角度が十分に大きくなっていることが確認できる。このため、キャリー、ランとも比較例を上回っていることが確認できる。また実施例では、ロフト角が４０゜以上のアイアンゴルフクラブにおいて、バックスピン量が増しており、ランが少なくコントロール性に優れていることが確認できる。
【００５１】
【発明の効果】
上述したように、本発明のアイアンゴルフクラブは、フェース面に、平均傾斜角θａが０．１５〜０．２５（deg ）でありかつ自乗平均傾斜角θｑが０．２０〜０．３０（deg ）である凹凸打撃面を含むことにより該凹凸打撃面を従来よりも鋭利な山、谷を含んだ表面粗さに形成することができる。これによってフェース面は、ボールとの高摩擦状態を作り出すことが可能になる。そして、このような凹凸打撃面は、例えばロフト角が４０゜以上であるアイアンゴルフクラブにおいては、ボールの初期スピン量を増すことによりランを減じるのに役立ち、またロフト角が４０゜未満のアイアンゴルフクラブにあっては、上述の新規な知見に基づき初期スピン量を減じ飛距離を増大するのに役立つ。
【００５２】
また請求項３記載の発明では、、ロフト角が最小である最も低番手（ｉ＝１）のゴルフクラブから、ロフト角が最大である最も高番手（ｉ＝ｑ）のゴルフクラブまで複数本のゴルフクラブをセットとしたアイアンゴルフクラブセットにおいて、前記全てのゴルフクラブのフェース面に、平均傾斜θａが０．１５〜０．２５（deg ）でありかつ自乗平均傾斜θｑが０．２０〜０．３０（deg ）である凹凸打撃面を含ませることによって、全番手を通じて打球の最適な初期スピン量をうるアイアンゴルフクラブセットを提供しうる。
【図面の簡単な説明】
【図１】本実施形態のアイアンゴルフクラブセットの一例を示す側面図である。
【図２】本実施形態のセットの中から一部のゴルフクラブを取り出してそのヘッドを例示する正面図である。
【図３】触針式表面粗さ測定器を用いたフェース面の表面粗さ測定方法を例示する説明図である。
【図４】（Ａ）、（Ｂ）は、断面曲線を説明する線図である。
【図５】（Ａ）、（Ｂ）は、断面曲線を説明する線図である。
【図６】フェース面の表面状態とボールのバックスピン量との関係を示すグラフである。
【図７】  フェース面の表面状態と打球の打ち出し角との関係を示すグラフである。
【図８】フェース面の表面状態と打球の打ち出し角との関係を示すグラフである。
【図９】フェース面の表面状態と打球の打ち出し角との関係を示すグラフである。
【図１０】フェース面の表面状態と打球の打ち出し角との関係を示すグラフである。
【図１１】（ａ）〜（ｄ）は、ボールとフェース面のインパクトの過程を説明する断面図である。
【図１２】インパクトからの経過時間とボールのカバーとコア部分との間のせん断力との関係を示すグラフである。
【符号の説明】
１  アイアンゴルフクラブセット
２  ゴルフクラブ
３  フェース面
３ａ  凹凸打撃面
Ｓ  シャフト
Ｈ  クラブヘッド
【図１】
0004612130.tif 000006
【図２】
0004612130.tif 000007
【図３】
0004612130.tif 000008
【図４】
0004612130.tif 000009
【図５】
0004612130.tif 000010
【図６】
0004612130.tif 000011
【図７】
0004612130.tif 000012
【図８】
0004612130.tif 000013
【図９】
0004612130.tif 000014
【図１０】
0004612130.tif 000015
【図１１】
0004612130.tif 000016
【図１２】
0004612130.tif 000017